(57)【要約】 【課題】  ゴミ等が入り込んだり、見栄えが悪くなるなどの恐れがなく、コード類を任意の位置から下方に容易に配線し得るようにする。【解決手段】  配線スペースの上方の開口部１２を覆う閉塞部材１５が、水平基片１６ａと、垂直基片１６ｂとからなる硬質部１６と、水平基片１６ａの上面に固着されるとともに、開口部１２を閉塞する水平閉塞片１７ａと、その下面と垂直基片１６ｂとに両端が固着された傾斜片１７ｂとからなる可撓性の軟質部１７とを備えるものとする。【選択図】  図２
2005137711.tif 000002
【特許請求の範囲】
【請求項１】
天板の下方に、上方が開口する配線スペースを設け、該配線スペースの開口部を可撓性を有する閉塞部材により覆ってなる配線機能付き机において、
前記閉塞部材が、水平基片と、それより下向きに延出する垂直基片とからなる硬質部と、前記水平基片の上面に固着されるとともに、前記開口を閉塞する水平閉塞片と、該水平閉塞片の下面と前記垂直基片とに両端が固着された傾斜片とからなる可撓性の軟質部とを備えるものとしたことを特徴とする配線機能付き机。
【請求項２】
硬質部を、それを長手方向から挿入可能な嵌合溝を有する取付部材により保持し、該取付部材を、配線スペースの開口部の側方において机本体のフレーム部材に取付けた請求項１に記載の配線機能付き机。
【請求項３】
取付部材に、垂直基片の外面が当接する垂直受面を設けた請求項２に記載の配線機能付き机。
【請求項４】
水平閉塞片の遊端部を、該水平閉塞片と傾斜片との固着部よりも天板方向に延出させた請求項１ないし３のいずれかに記載の配線機能付き机。
【請求項５】
硬質部と軟質部とを、合成樹脂により一体的に成形した請求項１ないし４のいずれかに記載の配線機能付き机。
【発明の詳細な説明】
【技術分野】
【０００１】
本発明は、天板上に載置したＯＡ機器等のコード類を、天板の下方の配線スペースに容易に配線し得るようにした配線機能付き机に関する。
【背景技術】
【０００２】
この種の机としては、天板の後端部に配線挿通孔を設け、その部分に着脱可能に取付けた複数のカバーの一部を取外して、ＯＡ機器等のコード類を天板の下方の配線ダクトに配線したり、カバーの一部を薄肉とし、その部分を切除して開口することにより、コード類を下方に配線し得るようにしたものなどがある。
【０００３】
このような机では、一部のカバーを取外したり、薄肉部を切除したりするのが面倒であるとともに、コード類の挿通個所が限定され、ＯＡ機器等から最短距離で配線できないという問題がある。
【０００４】
このような問題を解決するものとして、配線挿通用の開口に、可撓性を有する合成樹脂等の繊維を、水平かつ同方向に多数並べて束ねたブラシ状の閉塞部材を設け、任意の位置においてコード類を下方に配線し得るようにした配線機能付き机が提供されている（例えば特許文献１参照）。
【０００５】
【特許文献１】特開２００２−２８２０５０号公報（第５図等）。
【発明の開示】
【発明が解決しようとする課題】
【０００６】
上記特許文献に記載れている従来の机においては、ブラシ状の閉塞部材を用いているので、ブラシ内にゴミや埃等の異物が入り込み易く、それを除去するための清掃が面倒である。また、長期間使用すると、ブラシの毛先が不ぞろいとなり、見栄えが悪くなることがある。
【０００７】
本発明は、上記問題点を解決するためになされたもので、ゴミ等が入り込んだり、見栄えが悪くなるなどの恐れがなく、コード類を任意の位置から下方に容易に配線し得るようにした配線機能付き机を提供することを目的としている。
【課題を解決するための手段】
【０００８】
上記課題を解決するために、本発明の請求項１に記載の配線機能付き机は、天板の下方に、上方が開口する配線スペースを設け、該配線スペースの開口部を可撓性を有する閉塞部材により覆ってなる配線機能付き机において、
前記閉塞部材が、水平基片と、それより下向きに延出する垂直基片とからなる硬質部と、前記水平基片の上面に固着されるとともに、前記開口を閉塞する水平閉塞片と、該水平閉塞片の下面と前記垂直基片とに両端が固着された傾斜片とからなる可撓性の軟質部とを備えるものとしたことを特徴としている。
この特徴によれば、閉塞部材の上面は平坦面をなしているため、ゴミ等が内部に入り込んだり、長期間の使用により見栄えが悪くなったりする恐れはない。
また、硬質部により、閉塞部材の基端部を安定して保持し得るとともに、軟質部を下方に撓ませることにより、天板上に載置した電気機器のコード類を、任意の位置から下方に容易に配線することができる。
さらに、軟質部の下面が傾斜片により支持されているので、軟質部が自重により下方に撓むのが防止される。
【０００９】
本発明の請求項２に記載の配線機能付き机は、請求項１に記載の配線機能付き机であって、硬質部を、それを長手方向から挿入可能な嵌合溝を有する取付部材により保持し、該取付部材を、配線スペースの開口部の側方において机本体のフレーム部材に取付けることを特徴としている。
この特徴によれば、閉塞部材を、ねじ等を用いることなく、取付部材を介して机本体に、容易かつ安定して取付けることができる。
【００１０】
本発明の請求項３に記載の配線機能付き机は、請求項２に記載の配線機能付き机であって、取付部材に、垂直基片の外面が当接する垂直受面を設けることを特徴としている。
この特徴によれば、垂直基片の取付部材への当接面積が大きくなるので、軟質部を下方に安定して撓ませることができる。
【００１１】
本発明の請求項４に記載の配線機能付き机は、請求項１ないし３のいずれかに記載の配線機能付き机であって、水平閉塞片の遊端部を、該水平閉塞片と傾斜片との固着部よりも天板方向に延出させることを特徴としている。
この特徴によれば、軟質部の遊端部が撓ませ易くなるので、細いコード類の配線作業が容易となる。
【００１２】
本発明の請求項５に記載の配線機能付き机は、請求項１ないし４のいずれかに記載の配線機能付き机であって、硬質部と軟質部とを、合成樹脂により一体的に成形することを特徴としている。
この特徴によれば、硬質部と軟質部とを、材質の異なる合成樹脂材を用いて容易に一体化し得るので、接着や他の固着手段が不要となる。
【発明を実施するための最良の形態】
【００１３】
以下、本発明の実施形態を図面に基づいて説明する。
【００１４】
図１は、本発明の配線機能付き机の斜視図、図２は、図１のII−II線の拡大縦断側面図である。机本体１は、側面視前向コ字状の左右１対の側脚２，２と、その後端の脚柱２ａの上端の対向面間に固着された横フレーム３と、上記両側脚２の上面に載置して固定された天板４と、左右の側脚２の後端の対向面と、横フレーム３の後端下面との間に嵌め込まれて固定された幕板５とを備えている。６は、側脚２の後部の側面を覆う側板である。
【００１５】
横フレーム３は、上面の後端縁に支持片７が立設された概ね縦長の角筒状断面をなし、全体がアルミニウム合金等の押し出し成形品よりなっている。支持片７の上端部は、側面視コ字状をなし、前方を向く上片７ａの下面には、係止溝８が左右方向に全長にわたって形成されている。
【００１６】
また、支持片７の下部前面には、突条９が長手方向に沿って突設され、その上面には凹溝１０が形成されている。支持片７のコ字状部の下面には、幕板５の上端部が嵌合される嵌合溝１１が形成されている。
【００１７】
天板４の後端と横フレーム３との間には、所定幅の開口部１２が形成され、その下方の配線スペースには、開口部１２よりも幅広の上向きコ字状の配線ダクト１３が、その後部の上向片１３ａの上端の下向係止部１３ｂを、横フレーム３の前面の凹状係止部１４に係止することにより、着脱可能に取付けられている。また、上記開口部１２は、閉塞部材１５により閉塞されている。
【００１８】
閉塞部材１５は、図３にも示すように、例えばポリプロピレン等の硬質合成樹脂よりなる硬質部１６と、可撓性を有する例えばエラストマー等の軟質合成樹脂よりなる軟質部１７とからなっている。
【００１９】
硬質部１６は、前方を向く水平基片１６ａと、その後部下面より垂下する垂直基片１６ｂと、水平基片１６ａの後端に連設された、上面に凹条溝１８を有する後向片１６ｃとからなっている。
【００２０】
軟質部１７は、左右方向に長い薄板状の水平閉塞片１７ａと、その前端部下面より斜め後ろ下方に向かって傾斜し、後端が上記垂直基片１６ｂの前面下部に接合された傾斜片１７ｂとからなり、水平閉塞片１７ａの後端部下面は、上記水平基片１６ａの上面に、この表面全体を覆うように接合されている。
【００２１】
水平閉塞片１７ａの前端部（遊端部）は、傾斜片１７ｂの接合部よりも前方に所要寸法延出されており、下方に撓み易くしてある。なお、上記硬質部１６と軟質部１７は、押し出し成形により一体的に成形されている。
【００２２】
閉塞部材１５を横フレーム３の支持片７に取付けるには、図３に示すように、横フレーム３の側方に閉塞部材１５を位置させて、支持片７の上部の係止溝８と下部の凹溝１０とに、硬質部１６における後向片１６ｃの凹条溝１８と垂直基片１６ｂの下端部とをそれぞれ嵌合させて、閉塞部材１５を長手方向にスライドさせればよい。
【００２３】
閉塞部材１５の取付後においては、硬質部１６の上面は軟質部１７により覆われているので、材質の違いによる色差が現われても、見栄えが悪くなることはない。
【００２４】
また、閉塞部材１５の基部である後端部は、硬質部１６により保持されているので、横フレーム３に安定して取付けられる。
【００２５】
軟質部１７の前後幅が比較的大きいので、その部分全体を下方に撓ませることにより、左右方向の任意の位置から、束ねられたコード類や太いコード類、もしくはプラグやコンセント等の比較的大きな電気器具等を下方に挿通して、配線ダクト１３内に収容することができる。また、細いコード類は、水平閉塞片１７ａの前端部のみを撓ませるだけで下方に容易に配線することができる。
【００２６】
水平閉塞片１７ａの前端部下面と垂直基片１６ｂとの間には、傾斜片１７ｂが接合されているので、水平閉塞片１７ａが自重により撓む恐れはない。
【００２７】
なお、上記実施形態では、硬質部１６と軟質部１７とを一体成形により形成しているが、それらを接着等により一体的に接合してもよい。
【図面の簡単な説明】
【００２８】
【図１】本発明の配線機能付き机の斜視図である。
【図２】図１のII−II線に沿う要部の拡大縦断側面図である。
【図３】横フレームへの閉塞部材の取付前の斜視図である。
【符号の説明】
【００２９】
１                      机本体
２                      側脚
２ａ                    脚柱
３                      横フレーム（フレーム部材）
４                      天板
５                      幕板
６                      側板
７                      支持片
７ａ                    上片
８                      係止溝
９                      突条
１０                    凹溝
１１                    嵌合溝
１２                    開口部
１３                    配線ダクト
１３ａ                  上向片
１３ｂ                  下向係止部
１４                    凹状係止部
１５                    閉塞部材
１６                    硬質部
１６ａ                  水平基片
１６ｂ                  垂直基片
１６ｃ                  後向片
１７                    軟質部
１７ａ                  水平閉塞片
１７ｂ                  傾斜片
【図１】
2005137711.tif 000003
【図２】
2005137711.tif 000004
【図３】
2005137711.tif 000005